(57)【要約】【課題】  本発明は洗髪技術者にとっては従来と異なり両手を自由に使えるため楽に洗髪作業ができ、一方、洗髪者にとっては首が疲れることなくリラックスした状態で洗髪やトリートメント、オイルマッサージ等を受けることができるとともに、髪をいためず、きれいに洗髪するための洗髪台用枕を得るにある。【解決手段】本発明は防水性と弾性を有する合成ゴム、ポリエチレン樹脂等の材質で一体成型された枕本体で洗髪台用枕を構成している。【選択図】  図８
2006158755.tif 000002
【特許請求の範囲】
【請求項１】
防水性と弾性を有する合成ゴム、ポリエチレン樹脂等で一体成型された枕本体からなることを特徴とする、美容院、理髪店、エステティック、リラクゼーションマッサージ等を行う施設で使用される洗髪台のボール部内に位置させて使用する洗髪台用枕。
【請求項２】
上部から底面に貫通するように形成されたシャンプーや水等を排水するための排水用貫通孔を設けたことを特徴とする前記請求項１に記載の洗髪台用枕。
【請求項３】
底面にシャンプーや水等を排水するための排水用溝あるいは排水用凸部を設けたことを特徴とする前記請求項１、および２に記載の洗髪台用枕。
【請求項４】
プラスチック、セラミック等で形成された筒状の枕本体と、前記枕本体の上面を覆うように形成された頭部支持板と、前記枕本体の下部外周部に形成された枕を安定して洗髪台のボール部内に位置させるための台座部とからなることを特徴とする洗髪台用枕。
【請求項５】
頭部を支持するための支持板と、枕を安定して洗髪台のボール部内に位置させるための台座部と、前記支持板と台座部とを接続固定し、且つ前記支持板を頭部の状態や洗髪台のボール部の形状に応じて角度を調整することができる角度調整機構とからなることを特徴とする洗髪台用枕。
【発明の詳細な説明】
【技術分野】
【０００１】
本発明は美容院、理髪店、エステティック、リラクゼーションマッサージ等を行う施設で使用される洗髪台用枕に関する。
【背景技術】
【０００２】
従来の枕は、そのほとんどが睡眠用もので、美容院、理髪店、エステティック、リラクゼーションマッサージ等を行う施設で使用される洗髪台用としては使用されていない。
【０００３】
従来洗髪の際には、例えば洗髪者を椅子に座らせた状態でシャンプーと少量の水を使用して洗髪し、後に仰向けに寝かして洗髪台のボール部の淵に首の部分を位置させ、洗髪技術者は洗髪者の頭部を片手で支えつつ、なおかつ洗髪者の襟元にシャンプー、水、リンス等が入らないように注意しながらすすいだり、２度洗いしたり、リンスしたり、トリートメントしたりするものである。
したがって、洗髪技術者にとって洗髪は手間のかかるものであり、重労働であるという欠点があった。
特にヘアーダイ、カラーリング等毛染めを施した後の洗髪は、色の付いた染毛剤によって洗髪者の衣服等を汚さないように細心の注意が必要なため、気疲れするとともに、場合よっては洗髪者の衣服等を汚してしまうという欠点があった。  
一方、洗髪者にとって洗髪台のボール部の淵に首の部分を位置させた仰向けの状態はけっして楽な状態ではなく、洗髪時間等が長くなれば首が疲れてしまうという欠点があった。
さらに、ヘアーダイ、カラーリング等毛染めを施した後の髪は強いダメージを受けているため、本来ならばトリートメントを施した状態で１０分から２０分は放置しておきたいところであるが、現状では洗髪者の首が疲れてしまうため５分から７分程度の放置が限度である。したがって、髪のケアが十分にできないという欠点があった。
【特許文献１】特に無し。
【発明の開示】
【発明が解決しようとする課題】
【０００４】
本発明は以上のような従来の欠点に鑑み、洗髪技術者にとっては楽に洗髪作業ができ、洗髪者にとっては首が疲れることなくリラックスした状態で洗髪できるとともに、髪をいためず、きれいに洗髪するための洗髪台用枕を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は防水性と弾性を有する合成ゴム、ポリエチレン樹脂等の材質で一体成型された枕本体で洗髪台用枕を構成している。
【発明の効果】
【０００７】
以下の説明から明らかなように、本発明にあっては次に列挙する効果が得られる。
【０００８】
（１）防水性と弾性を有する合成ゴム、ポリエチレン樹脂等の材質で一体成型されているので、洗髪技術者は洗髪者の頭部を片手で支えることなく、両手を十分に使用して洗髪、すすぎ、トリートメント等をすることができる。
したがって、余裕ができるので楽に洗髪作業ができるとともに、片手で洗髪者の襟元にシャンプー、水、リンス等が浸入するのを防いだり、色の付いた染毛剤によって洗髪者の衣服等が汚れるのを防いだりすることができる。
【０００９】
（２）前記（１）によって、洗髪者は楽な状態で仰向けになることができる。
したがって、首が疲れることなくリラックスした状態で洗髪等を受けることができるとともに、ヘアーダイ、カラーリング等で強いダメージを受けた髪を、十分ケアすることができる。
【００１０】
（３）また、洗髪者の首と洗髪台のボール部の淵との間に、暖かいタオル等を挟むととても気持ちの良いサービスが頻繁に行われているが、近年、頭部、特に側頭部に癒しのつぼが集中していることが知られ、その部分を暖めるととても癒しの効果が高いことが判明しており、そういった場合においても前記（１）によって、洗髪者の頭部と本発明の洗髪台用枕との間に、暖かいタオルを挟むことができるので、癒しの効果を高めることができる。
【００１１】
（４）前記（１）によって、構造が簡単で使いやすく、安価であるとともに、手入れが簡単である。
【００１２】
（５）前記（１）によって、美容院、理髪店、エステティック、リラクゼーションマッサージ等で行なわれるオイルによる頭部のマッサージ等をする場合も、首が疲れることなくリラックスした状態でマッサージを受けることができる。
【００１３】
（６）請求項２、３も前記（１）〜（４）と同様な効果が得られるとともに、シャンプー、リンス、オイル等を効率よく排水することができる。
【００１４】
（７）請求項４も前記（１）〜（４）と同様な効果が得られる。
【００１５】
（８）請求項５も前記（１）〜（４）と同様な効果が得られるとともに、最適な状態で洗髪者の頭部を支持することができる。
【発明を実施するための最良の形態】
【００１６】
以下、図面に示す本発明を実施するための最良の形態により、本発明を詳細に説明する。
【実施例１】
【００１７】
図１ないし図６に示す本発明を実施するための最良の第１の形態において、１は美容院、理髪店、エステティック、リラクゼーションマッサージ等を行う施設で使用される洗髪台用に使用する本発明の洗髪台用枕で、プラスチック、セラミック等で形成された筒状の枕本体２と、前記枕本体の上面を覆うように形成されたで頭部支持板３と、前記枕本体の下部外周部に形成された枕を安定して洗髪台４のボール部５内に位置させるための台座部６とで構成されている。
【００１８】
前記頭部支持板３は防水性と弾性を有する合成ゴム、ポリエチレン樹脂等で形成されている。
【００１９】
前記台座部６は、合成ゴム等の滑りにくい材質のもので形成され、上から押圧する事でボール部５内に吸着するよう形成されている。
【００２０】
上記構成の洗髪台用枕１は、図４ないし図６に示すように美容院、理髪店、エステティック、リラクゼーションマッサージ等を行う施設で行なわれる洗髪や頭部へのオイルマッサージの際に、洗髪台４のボール部５内に位置させて使用する。
また、頭部、側頭部を暖める場合には図６に示すように頭部、側頭部と本発明の洗髪台用枕１との間に暖かいタオル２２等を挟んで使用する。
次に、図７ないし図２６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２１】
図７ないし図１１に示す本発明を実施するための第２の形態において、前記本発明を実施するための最良の第１の形態と主に異なる点は、枕本体２Ａを防水性と弾性を有する合成ゴム、ポリエチレン樹脂等で枕形状に一体成型した点で、このように一体成型した枕本体２Ａを用いた洗髪台用枕１Ａにしても、前記本発明を実施するための最良の第１の形態と同様な作用効果が得られるとともに、構造が簡単なので安価に製造することができる。
【実施例３】
【００２２】
図１２ないし図１４に示す本発明を実施するための第３の形態において、前記本発明を実施するための第２の形態と主に異なる点は、枕本体２Ｂを防水性と弾性を有する合成ゴム、ポリエチレン樹脂等でほぼ台形柱形状に一体成型するとともに、前記枕本体２Ｂの上部に形成された頭部支持面７から底面８まで貫通するように形成した排水孔９と、前記底面８に排水溝１０を形成した点で、このような枕本体２Ｂを用いた洗髪台用枕１Ｂにしても前記本発明を実施するための第２の形態と同様な作用効果が得られるとともに頭部と頭部支持面７との間に溜まったシャンプーや水滴、オイル等をスムーズに排水することができる。なお、本実施の形態では中心に１本の排水孔を形成した例について説明したが、これに限らず複数本の排水孔を形成しても良い。
【実施例４】
【００２３】
図１５ないし図１７に示す本発明を実施するための第４の形態において、前記本発明を実施するための第３の形態と主に異なる点は、枕本体２Ｂの底面８に複数個の排水用凸部１１を形成した点で、このような排水用凸部１１を用いた洗髪台用枕１Ｃにしても、前記本発明を実施するための第３の形態と同様な作用効果が得られる。
【実施例５】
【００２４】
図１８ないし図２０に示す本発明を実施するための第５の形態において、前記本発明を実施するための第２の形態と主に異なる点は、枕本体２Ａの底面８に枕を安定して洗髪台４のボール部５内に位置させるための吸盤１２、１２を設けた点で、このような吸盤１２、１２を用いた洗髪台用枕１Ｄにしても、前記本発明を実施するための第２の形態と同様な作用効果が得られる。
【実施例６】
【００２５】
図２１ないし図２６に示す本発明を実施するための第６の形態において、前記本発明を実施するための最良の第１の形態と主に異なる点は、前記頭部支持板３と、ほぼ台形形状に形成された台座部６Aとを接続固定し、さらに蝶ボルト１３の締付けによって回動を固定することができる回動部材としてのヒンジ部材１４を用いた角度調整機構１５を設けた点で、このような角度調整機構１５を用いた洗髪台用枕１Ｅにしても前記本発明を実施するための最良の第１の形態と同様な作用効果が得られるとともに洗髪台のボール部の形状や頭部の位置に応じて洗髪に最適な状態に設置する事ができる。なお、前記ヒンジ部材１４は先端部に蝶ボルト挿入孔１６が形成され、頭部支持板３に固定された一方のヒンジ部材１７と、この一方のヒンジ部材１７が挿入される凹部１８と、該一方のヒンジ部材１７の蝶ボルト挿入孔１６と対応する部位に蝶ボルト挿入孔１９および蝶ボルト１３と螺合されるねじ孔２０が形成され、台座部６Aに固定された他方のヒンジ部材２１とで構成されている。
【産業上の利用可能性】
【００２６】
本発明は洗髪台用枕を製造する産業で利用される。
【図面の簡単な説明】
【００２７】
【図１】本発明を実施するための最良の第１の形態の正面図。
【図２】本発明を実施するための最良の第１の形態の平面図。
【図３】図２の３−３線に沿う断面図。
【図４】本発明を実施するための最良の第１の形態の使用状態の平面図。
【図５】本発明を実施するための最良の第１の形態の使用状態の側面図。
【図６】側頭部を暖める場合の使用説明図。
【図７】本発明を実施するための第２の形態の正面図。
【図８】本発明を実施するための第２の形態の平面図。
【図９】図８の９−９線に沿う断面図。
【図１０】本発明を実施するための第２の形態の使用状態の正面図。
【図１１】本発明を実施するための第２の形態の使用状態の側面図。
【図１２】本発明を実施するための第３の形態の正面図。
【図１３】本発明を実施するための第３の形態の底面図。
【図１４】図１３の１４−１４線に沿う断面図。
【図１５】本発明を実施するための第４の形態の正面図。
【図１６】本発明を実施するための第４の形態の底面図。
【図１７】図１６の１７−１７線に沿う断面図
【図１８】本発明を実施するための第５の形態の正面図。
【図１９】本発明を実施するための第５の形態の平面図。
【図２０】本発明を実施するための第５の形態の底面図。
【図２１】本発明を実施するための第６の形態の正面図。
【図２２】本発明を実施するための第６の形態の平面図。
【図２３】本発明を実施するための第６の形態の側面図。
【図２４】図２２の２４−２４線に沿う断面図
【図２５】本発明を実施するための第６の形態の分解説明図。
【図２６】本発明を実施するための第６の形態の回動状態の説明図。
【符号の説明】
【００２８】
１、１Ａ、１Ｂ、１Ｃ、１Ｄ、１Ｅ、：洗髪台用枕、
２、２Ａ、２Ｂ：枕本体、          ３：頭部支持板、
４：洗髪台、                      ５：ボール部、
６、６Ａ：台座部、                ７：頭部支持面、
８：底面、                        ９：排水孔、
１０：排水溝、                    １１：排水用凸部、
１２：吸盤、                      １３：蝶ボルト、
１４：ヒンジ部材、                １５：角度調整機構、
１６：蝶ボルト挿入孔、            １７：一方のヒンジ部材、
１８：凹部、                      １９：蝶ボルト挿入孔、
２０：ねじ孔、                    ２１：他方のヒンジ部材、
２２：タオル。
【図１】
2006158755.tif 000003
【図２】
2006158755.tif 000004
【図３】
2006158755.tif 000005
【図４】
2006158755.tif 000006
【図５】
2006158755.tif 000007
【図６】
2006158755.tif 000008
【図７】
2006158755.tif 000009
【図８】
2006158755.tif 000010
【図９】
2006158755.tif 000011
【図１０】
2006158755.tif 000012
【図１１】
2006158755.tif 000013
【図１２】
2006158755.tif 000014
【図１３】
2006158755.tif 000015
【図１４】
2006158755.tif 000016
【図１５】
2006158755.tif 000017
【図１６】
2006158755.tif 000018
【図１７】
2006158755.tif 000019
【図１８】
2006158755.tif 000020
【図１９】
2006158755.tif 000021
【図２０】
2006158755.tif 000022
【図２１】
2006158755.tif 000023
【図２２】
2006158755.tif 000024
【図２３】
2006158755.tif 000025
【図２４】
2006158755.tif 000026
【図２５】
2006158755.tif 000027
【図２６】
2006158755.tif 000028